(57)【要約】【課題】  薄型化が可能で部品点数を増やすことなく液晶表示部の外圧に対する強度を向上させることができる液晶表示装置を提供する。【解決手段】  液晶パネル４１はベゼル５１によって保持され、ベゼル５１は金属シャーシ４に５１ｂ部でビス止めによって固定される。ベゼル５１は金属シャーシ４からベゼル５１に対して外圧受け部４ａ、４ｂが形成され保持されている。ベゼル５１は液晶パネル４１の表示領域に合わせて開口されており、電極引き出し部４１ｅを除く３辺においては液晶パネル４１を覆って保持される。電極引き出し部４１ｅはベゼル５１を逃がし、液晶ガラス基板４１ａとベゼル５１ａとのクリアランスＬ１を設けている。またベゼル５１と液晶パネル４１との間にクリアランスＬ２が設けられる。クリアランスＬ２を有することで液晶パネル４１の電極引き出し部４３に直接力が加わらないため外圧に対して強度の向上を図ることができる。【選択図】  図１
2008191242.tif 000002
【特許請求の範囲】
【請求項１】
液晶表示パネル（４１）と液晶表示パネル（４１）を照明するバックライト（４３）と、これらを保持するベゼル（５１）とを有する液晶表示装置において、前記ベゼル（５１）が前記液晶パネル（４１）の４辺のうち少なくとも１辺を保持しない非保持部（５１ａ）を有することを特徴とする画像表示装置。
【請求項２】
前記非保持部（５１ａ）は前記液晶パネル（４１）の電極引出し部（４１ｅ）と対向していることを特徴とする請求項１記載の画像表示装置。
【請求項３】
前記非保持部（５１ａ）は液晶表示パネル（４１）の外周外側方向に開口が拡大されている（Ｌ１）ことを特徴とする請求項１、２記載の画像表示装置。
【発明の詳細な説明】
【技術分野】
【０００１】
本発明はデジタルスチルカメラ等の画像表示部を有する画像表示装置に関するもので、特に表示パネルの保持構造に関するものである。
【背景技術】
【０００２】
近年、電子機器は小型化が進んでいるが、デジタルカメラ等では機器本体に映像出力画面を有しておりその映像出力画面が大型化、薄型化している。映像出力手段としては、液晶ディスプレイが広く用いられている。液晶ディスプレイは液晶パネルとその背面から液晶パネルを照明するバックライトで構成され、それらをベゼル及びバックライトフレームによって保持した構造となっている。液晶パネルは２枚のガラスの間に液晶が封入されており、液晶パネルの１辺あるいは２辺に設けられた電極引き出し部から、画像信号が送られ、その信号に応じて画像を表示するようになっている。ベゼルは、液晶パネルの画像表示部が開口されており、液晶パネルの４辺を囲むように覆うことで外圧に対して保持する構造になっている。
【０００３】
このように大型化、薄型化した表示パネルの保持構造において表示部及びその周辺の外圧を受けた場合の強度対策は重要であり、液晶パネルの割れ防止が必要となっている。特に電極引き出し部では液晶パネルの表示領域からベゼルの外圧受け部までの距離が長くなるため割れやすい。また電極引出し部で液晶パネルのガラス基板が１枚のみとなっているためパネルの強度も弱い部分である。このため従来においては、電極引き出し部と対向する部分に緩衝部材を入れることで液晶パネルの割れ防止を図っている。（特許文献１参照）
【特許文献１】特開２００３−１３１１９８号公報
【発明の開示】
【発明が解決しようとする課題】
【０００４】
しかしながら、特許文献１の発明においては、緩衝部材の追加及び貼付工程追加する必要があり、貼付精度も要求される。また電極引出し部が緩衝材を通して加圧されるので長期信頼性においては断線する危険性があった。
【０００５】
以上を鑑みて本出願に係る第１の発明によれば液晶表示部の外圧に対する強度を向上させることを目的とする。
【０００６】
本出願に係る第２の発明によれば液晶パネル電極引出し部のショート及び断線を防止することを目的とする。
【０００７】
本出願に係る第３の発明によれば厚みを増やすことなく液晶パネルの強度を向上させ、電極引出し部のショート及び断線を防止することを目的とする。
【課題を解決するための手段】
【０００８】
本発明の請求項１に係る発明によれば、液晶表示パネルと液晶表示パネルを照明するバックライトと、これらを保持するベゼルとを有する液晶表示装置において、前記ベゼルが前記液晶パネルの４辺のうち少なくとも１辺は保持しない非保持部を有することを特徴としている。
【０００９】
本発明の請求項２に係る発明によれば、非保持部は液晶パネルの電極引出し部と対向していることを特徴としている。
【００１０】
本発明の請求項３に係る発明によれば、非保持部は液晶表示パネルの外周外側方向に開口が拡大されていることを特徴としている。
【発明の効果】
【００１１】
本発明に係る第１の発明によれば、部品点数を増やすことなく液晶パネルの強度向上を実現することが可能となる。
【００１２】
本発明に係る第２の発明によれば、液晶パネル電極引出し部のショート及び断線を防止することができる。
【００１３】
本出願に係る第３の発明によれば厚みを増やすことなく液晶パネルの強度を向上させ、電極引出し部のショート及び断線を防止することができる。
【発明を実施するための最良の形態】
【００１４】
（第１の実施形態）
本実施の形態においては液晶表示が可能なカメラに適用して説明するが、ビデオカメラ、携帯電話等の画像表示部を有する撮像装置でもよい。
【００１５】
図４および図５に本実施例を適用したカメラを示す。図において１はカメラの正面側を覆う前面カバー、２は裏側を覆う背面カバー、３は撮影レンズ等を保持する鏡筒ユニットであり、そして鏡筒ユニット３は、不図示の鏡筒固定ねじにより金属シャーシ４に固定される。
【００１６】
５は電池６を保持するための電池ケースであり、電池ケース固定ねじによって金属シャーシ４に固定される。電池ケース５の一面は一部壁のない開口部５ａがあり、メモリカードスロット７によってふたがされるように構成されている。また、メイン配線基板８にコネクタ接続されている電源フレキシブル配線基板９の電池ケース５側には電源コネクター１０および映像、音声を出力するＡＶジャック１１が実装され、電池ケース５に設けられた凹部５ｂおよび５ｃに組み合わせれるように配されている。５３は電池蓋であり、電池蓋５３の開閉により電池６及びメモリーカード１８が出し入れされる。
【００１７】
１２はストロボユニットであり、１３はストロボ発光部、下方に伸びたフレーム部分にストロボ回路を実装したストロボフレキシブル配線基板１４が貼り付けられるとともに、ストロボコンデンサー１５が固定されている。そして該ストロボユニット１２は前記鏡筒ユニット３に組みつけられたズームモーター１６およびギアユニット１７の上部に配され、側面よりストロボ固定ねじにより金属シャーシ４に固定されている。
【００１８】
８はＣＰＵやメモリ、画像処理ＬＳＩ、電源回路等が実装されたメイン配線基板であり、背面に映像や音声を保存する外部メモリーであるメモリーカード１８のスロット７およびＵＳＢコネクタ１９が実装されている。そして該メイン配線基板８はメイン配線基板固定ねじによって金属シャーシ４にねじ止めされる。
【００１９】
２０はレリーズスイッチ２１、電源タクトスイッチ２２等を実装した操作フレキシブル配線基板である。金属シャーシ４に固定される。２３はスピーカーであり、その端子部は操作フレキシブル配線基板２０に設けられた銅箔露出部と接触することで導通をはかっている。
【００２０】
２４はその中心部に導光部材２５が貼り付けられた発光ボタンであり、操作フレキシブル配線基板２０に実装されたタクトスイッチ２６を導光部材２５によって押すように構成されている。そしてタクトスイッチ２６の横には発光ダイオード２７が配されており、導光部材２５を通して発光ダイオード２７の発した光が発光ボタン２４の表面に導かれる。２８の背面の操作ボタンであり、２９は十字にボタンが配置された十字ボタンである。３０はカメラの動作モードの切り替えレバーであり、上下に動かすことで静止画撮影、動画撮影、画像再生を切り替える。
【００２１】
３１はズームレバー３２、レリーズボタン３３、電源ボタン３４を保持する上面カバーであり、電池ケース５の上面に操作フレキシブル配線基板２０をはさんで配置される。また、該上面カバー３１の側部にはＵＳＢコネクタ１９および映像と音声のジャック１１をカバーするためのジャックカバー３５を収納する凹部３１ａが設けられている。
【００２２】
３６は側面カバーａでカメラの側面を覆うとともに、ストラップ紐を通すストラップリング３７とともに金属シャーシ４に固定される。
【００２３】
３８は三脚取り付け用のねじが切られた三脚取り付け座である。３９はカメラ上面、側面及び底面を覆う側面カバーｂである。４０は背面窓であり、液晶パネル４１を覆っている。
【００２４】
図１、図２、図３を用いて本発明の液晶パネルの保持構造について詳しく説明する。図１は本発明の実施例の液晶表示部Ａ−Ａの断面図、図２は本発明の実施例の液晶表示部の分解斜視図、図３は本発明の実施例の表示部の斜視図である。
【００２５】
４１は液晶パネルである。液晶パネルは２枚のガラス基板４１ａ、４１ｂの間に、液晶が封入されており、ガラス基板の外側の両側に偏光板４１ｃ、４１ｄが張り合わされている。該偏光板４１ｃ、４１ｄにより入射光に対して、特定の偏光成分のみが透過される。ガラス基板４１ｂはガラス基板４１ａよりも幅が大きくなっており、端面に液晶パネル制御用の信号が引き出され、電極引き出し部４１ｅが形成されている。電極引き出し部４１ｅでは、液晶信号用フレキシブル配線板４２が溶着されており、溶着部は樹脂により固定される。
【００２６】
液晶信号用フレキシブル配線板４２からの信号はメイン基板８上に実装されたＬＣＤドライバまで接続され、メイン基板８上のＣＰＵからの信号を基にＬＣＤドライバを介して液晶表示動作が行われる。また、液晶パネル４１は自発光できないためバックライトユニット４３により背面より照明される。バックライトユニット４３は、集光フィルム４４ａと４４ｂ、拡散板４５、導光板４６、反射板４７及び光源からなる。
【００２７】
光源としてバックライトフレキシブル配線板４９に実装されたバックライトＬＥＤ４８がバックライト端部に配置される。バックライトＬＥＤ４８からの光は導光板４６、拡散板４５、集光フィルム４４ａと４４ｂを通して液晶パネル４１まで到達し、液晶パネル４１を背後から照明する。バックライトユニット４３は、バックライトフレーム５０に保持されている。光源としてバックライトＬＥＤ４８の代わりに冷陰極管を用いてもよい。５２はバックライトスペーサであり、バックライトユニット４３の集光フィルム４４ａと４４ｂ、拡散板４５、導光板４６、反射板４７を位置決め及び保持をしている。
【００２８】
液晶パネル４１はベゼル５１によって保持され、ベゼル５１は金属シャーシ４に５１ｂ部でビス止めによって固定される。ベゼル５１は金属シャーシ４からベゼル５１に対して外圧受け部４ａ、４ｂが形成され保持されている。ベゼル５１は液晶パネル４１の表示領域に合わせて開口されており、電極引き出し部４１ｅを除く３辺においては液晶パネル４１を覆って保持される。電極引き出し部４１ｅはベゼル５１を逃がし、液晶ガラス基板４１ａとベゼル５１ａとのクリアランスＬ１を設けている。
【００２９】
電極引き出し部４１ｅは、液晶パネル４１のガラス基板４１ｂの１枚のみになっており割れやすい。電極引き出し部４１ｅがない３辺は液晶表示領域から液晶パネル４１の端面までの距離が比較的短いので、ベゼル５１を通して金属シャーシ４で外圧を受けることができ、外圧に対して強い。しかしながら、ベゼル５１ａにおいては液晶表示領域から液晶パネル４１の端までの距離が他の３辺と比較して長い。このため、ベゼル５１上の電極引き出し部４１ｅに対応する５１ａを押された際に、背面で受けているシャーシまで距離が長くなり液晶パネル４１が割れやすくなる。電極引き出し部４１ｅにおいてベゼル５１ａを逃がすことによりベゼル５１ａが押された場合にベゼル５１ａと液晶パネル４１との間にクリアランスＬ２が設けられる。クリアランスＬ２を有することで液晶パネル４１の電極引き出し部４３に直接力が加わらないため外圧に対して強度の向上を図ることができるほか、液晶信号用フレキシブル配線板４２の断線およびショートを防止することができる。
【００３０】
さらに強度を増すために５１ａに半抜きや表示パネル４１に対して垂直に曲げを形成してもよい。このときはクリアランスＬ２を確保した寸法設定とする。
【００３１】
上記構成をとることにより液晶パネルの強度が向上する。またベゼルの開口を広げるだけでよいため、部材の追加が必要なく、加工容易である。また液晶パネル４１の幅方向に開口を広げているため、薄型化も可能である。
【００３２】
本実施例においては、液晶パネル４１の電極引出し部４１ｅが１辺のみから引き出されていたが２辺から引き出されている場合には上記構成を２辺に対してとることにより対応が可能である。またベゼル５１は４辺とも繋がっており矩形をなしているが、５１ａを完全に切り、コの字形にしてもよい。
【図面の簡単な説明】
【００３３】
【図１】本発明の実施例の液晶表示部の断面図
【図２】本発明の実施例の液晶表示部の分解斜視図
【図３】本発明の実施例の表示部の斜視図
【図４】本発明の実施例のカメラの分解斜視図
【図５】本発明の実施例のカメラの分解斜視図
【符号の説明】
【００３４】
１  前面カバー
２  背面カバー
３  鏡筒ユニット
４  金属シャーシ
５  電池ケース
６  電池
７  メモリカードスロット
８  メイン配線基板
９  電源フレキシブル配線基板
１０  電源コネクター
１１  ＡＶジャック
１２  ストロボユニット
１３  ストロボ発光部
１４  ストロボフレキシブル配線基板
１５  ストロボコンデンサー
１６  ズームモーター
１７  ギアユニット
１８  メモリーカード
１９  ＵＳＢコネクタ
２０  操作フレキシブル配線基板
２１  レリーズスイッチ
２２  電源タクトスイッチ
２４  発光ボタン
２５  導光部材
２６  タクトスイッチ
２７  発光ダイオード
２８  背面操作ボタン
２９  十字ボタン
３０  動作モード切り替えレバー
３１  上面カバー
３２  ズームレバー
３３  レリーズボタン
３４  電源ボタン
３５  ジャックカバー
３６  側面カバーａ
３７  ストラップリング
３８  三脚取り付け座
３９  側面カバーｂ
４０  背面窓
４１  液晶パネル
４１ａ、４１ｂ  液晶パネルガラス基板
４１ｃ、４１ｄ  偏光板
４１ｅ  電極引き出し部
４２  液晶信号用フレキシブル配線板
４３  バックライトユニット
４４ａ、４４ｂ  集光フィルム
４５  拡散板
４６  導光板
４７  反射板
４８  バックライトＬＥＤ
４９  バックライトフレキシブル配線板
５０  バックライトフレーム
５１  ベゼル
５２  バックライトスペーサ
５３  電池蓋
【図１】
2008191242.tif 000003
【図２】
2008191242.tif 000004
【図３】
2008191242.tif 000005
【図４】
2008191242.tif 000006
【図５】
2008191242.tif 000007